(57)【要約】      （修正有）【課題】連結鋲の一端を肩ベルトの裏面側に露出させないで吊下げ具を連結すると共に、肩ベルトの連結部分の折れ曲がりを防止する。【解決手段】幅広な肩当部と細幅の長さ調節部を一体に形成した表面板１４の下面に、該表面板と相似形に形成したベルト芯板１６を取付け、該ベルト芯板の下面で前記肩当部に該当する部分にパッド部１９を取付け、該パッド部および前記ベルト芯板１６をカバー部２０で被覆してその両端部を前記ベルト芯板１６と表面板１４との間に差し込み、前記ベルト芯板１６の長さ調節部１２の裏面に裏面板を取付け、前記表面板１４とその裏側のカバー部２０および裏面板の周縁部分を縫糸２２で一体に縫着してなる肩ベルトに於いて、前記表面板１４の肩当部に設けた取付孔１５に、輪環を一端に遊嵌した吊下げ具３０を雄型片５１と雌型片５７とからなる連結鋲５０で固着した。【選択図】図４
0003141382.tif 000002
【実用新案登録請求の範囲】
【請求項１】
幅広な肩当部（１１）と細幅の長さ調節部（１２）を一体に形成した表面板（１４）の下面に、該表面板と相似形で前記肩当部（１１）に該当する部分の両側端部を断面略円柱状に膨出させた柔軟部（１７）を一体に形成し、さらに下面中央を肉厚に形成した補強部（１８）を長手方向に形成したベルト芯板（１６）を取付け、該ベルト芯板の下面で前記肩当部（１１）に該当する部分にクッション機能を有するパッド部（１９）を取付け、該パッド部および前記ベルト芯板（１６）を柔軟なカバー部（２０）で被覆してその両端部を前記ベルト芯板（１６）と表面板（１４）との間に差し込み、前記ベルト芯板（１６）の長さ調節部（１２）の裏面に可撓性を有する裏面板（２１）を取付け、前記表面板（１４）とその裏側のカバー部（２０）および裏面板（２１）の周縁部分を縫糸（２２）で一体に縫着してなる肩ベルト（１０）に於いて、前記表面板（１４）の肩当部（１１）の略中央に設けた取付孔（１５）に、輪環（３９）を一端に遊嵌した吊下げ具（３０）を、雄型片（５１）と雌型片（５７）とからなる連結鋲（５０）で固着したことを特徴とする背負かばん用肩ベルト。
【請求項２】
前記吊下げ具（３０）は、板材を折り曲げて形成した下地部（３１）と上地部（３５）の一端連結部部分の上側を湾曲させて遊環部（３８）を形成し、該遊環部に小物を吊下げるための輪環（３９）を取付け、前記下地部（３１）と上地部（３７）の中央軸心方向に前記連結鋲（５０）の係止筒部（５９）が挿通する筒孔（３２）、（３６）をそれぞれ設け、前記下地部（３１）の下面で前記筒孔（３２）の近傍に複数の係止突起（３３）を一体に設けてなることを特徴とする請求項1記載の背負かばん用肩ベルト。
【請求項３】
前記連結鋲（５０）の雄型片（５１）は、椀状に形成した頭部（５２）の下面中央垂直方向に係止ピン（５３）を樹立し、該係止ピンの軸部（５４）に一定間隔で複数の鍔部（５５）を形成し、該鍔部の周縁と前記軸部（５４）の先端方向にテーパ状の斜面部（５６）をそれぞれ一体に形成してなり、雌型片（５７）は、皿状に形成した係止鍔部（５８）の上面中央垂直方向に、前記雄型片（５１）の係止ピン（５３）が嵌合する係止筒部（５９）を一体に設けてなることを特徴とする請求項１記載の背負かばん用肩ベルト。
【請求項４】
前記連結鋲（５０）は、雄型片（５１）の係止ピン（５３）の長さ（Ｘ）と、雌型片（５７）の係止筒（５９）の長さ（Ｙ）を同じ長さに形成し、雌型片（５７）の係止筒部（５９）を前記表面板（１４）に設けた取付孔（１５）の裏面側から表面側に貫通させ、表面側に突出した係止筒部（５９）に前記吊下げ具（３０）の筒孔（３２）、（３６）を挿通すると共に、前記係止筒部（５９）に雄型片（５１）の係止ピン（５３）を圧入して吊下げ具（３０）を表面板（１４）に固着してなることを特徴とする請求項１または３記載の背負かばん用肩ベルト。
【考案の詳細な説明】
【技術分野】
【０００１】
本考案は、ランドセルやリュックサックなどの背負いかばんに取付ける肩ベルトの改良に関する。
【背景技術】
【０００２】
従来、ランドセルやリュックサックなどの背負かばんに使用される肩ベルトは、時代と共に多様化し、特に、学童が使用するランドセルの肩ベルトには、肩当部の正面側に各種小物、例えば、携帯電話、防犯ブザー、キーホルダーまたはマスコット人形などを吊下げるための吊下げ具が取付けられている。
【０００３】
前記吊下げ具の肩ベルトへの取付けは、肩ベルトの肩当部分の正面側に鳩目やリベットなどの連結具を使用して連結することが広く行われている（特許文献１）。
【特許文献１】実用新案登録第３１１３２９６号公報
【０００４】
さらには、吊下げ具の一種であるＤ環を直接肩ベルトの肩当部分を構成する表面部の裏側に取付けたものが知られている（特許文献２）。
【特許文献２】実用新案登録第３１１４３８６号公報
【０００５】
しかしながら、図１１に示すごとく、鳩目やリベットなどの連結鋲７７を使用して吊下げ具７６を連結する場合、肩ベルト７０の肩当部７１を構成する表面板７２、ベルト芯板７３、パット部７４およびカバー部７５の全てに設けた孔に連結鋲の軸部７８を貫通し、連結鋲７７の端部をかしめて連結している。そのため、かしめ止めした肩当部７１の裏面側は、積層材が柔らかいため連結鋲７７の鍔部７９によって中心方向に強く圧縮され、鍔部７９の周縁が中心方向に引張られて凹状になり、その中心には鍔部による凸状部が形成されて外観が良くない。また、肩当部７１の中央部分に連結鋲７７の軸部７８が貫通した孔の周辺は経年変化により湾曲状に撓む力がなくなり連結部分から折れ曲がりやすく、背負かばんを背負ったときに折れ曲がった肩当部は肩に負担がかかり背負いにくくなると共に、折れ曲がった部分が切れやすくなるなどの問題点がある。
【０００６】
さらに連結鋲７７として、鳩目を使用して連結した場合、鳩目は雌型と雄型を圧着変形させて連結するため、軸心方向に強い力が加わると、鳩目のかしめた部分が広がって弛んだり、脱落するおそれがあるなどの問題点がある。
【０００７】
さらにはまた、特許文献２に示す吊下げ具は、肩ベルトの表地の裏側で、該表地と裏地との間に挿通した中空パイプにＤ環型の環体を取付けた吊下げ具は、前記中空パイプは表地の裏側に固定されていないため、吊下げる小物が重たいと環体を挿通した表地の挿入口が広がって上下動し、また、挿入口が切れたりして破損するなどの問題点がある。
【考案の開示】
【考案が解決しようとする課題】
【０００８】
本考案が解決しようとする課題は、吊下げ具を肩ベルトに取付ける連結鋲の一端が、肩ベルトの裏面側に露出せず、平坦で綺麗な裏面形状を形成すると共に、吊下げ具を取付けた連結部分に貫通孔を設けないため強度が劣化するのを防止し、折れ曲がることなくきれに湾曲する肩ベルトを提供することを目的とするものである。
【課題を解決するための手段】
【０００９】
本考案は、上記課題を解決するため、幅広な肩当部１１と細幅の長さ調節部１２を一体に形成した表面板１４の下面に、該表面板と相似形で前記肩当部１１に該当する部分の両側端部を断面略円柱状に膨出させた柔軟部１７を一体に形成し、さらに下面中央を肉厚に形成した補強部１８を長手方向に形成したベルト芯板１６を取付け、該ベルト芯板の下面で前記肩当部１１に該当する部分にクッション機能を有するパッド部１９を取付け、該パッド部および前記ベルト芯板１６を柔軟なカバー部２０で被覆してその両端部を前記ベルト芯板１６と表面板１４との間に差し込み、前記ベルト芯板１６の長さ調節部１２の裏面に可撓性を有する裏面板２１を取付け、前記表面板１４とその裏側のカバー部２０および裏面板２１の周縁部分を縫糸２２で一体に縫着してなる肩ベルト１０に於いて、前記表面板１４の肩当部１１の略中央に設けた取付孔１５に、輪環３９を一端に遊嵌した吊下げ具３０を雄型片５１と雌型片５７とからなる連結鋲５０で固着したことを特徴とする。また、前記吊下げ具３０は、板材を折り曲げて形成した下地部３１と上地部３５の一端連結部部分の上側を湾曲させて遊環部３８を形成し、該遊環部に小物を吊下げるための輪環３９を取付け、前記下地部３１と上地部３７の中央軸心方向に前記連結鋲５０の係止筒部５９が挿通する筒孔３２、３６をそれぞれ設け、前記下地部３１の下面で前記筒孔３２の近傍に複数の係止突起３３を一体に設けてなることを特徴とする。さらには、前記連結鋲５０の雄型片５１は、椀状に形成した頭部５２の下面中央垂直方向に係止ピン５３を樹立し、該係止ピンの軸部５４に一定間隔で複数の鍔部５５を形成し、該鍔部の周縁と前記軸部５４の先端方向にテーパ状の斜面部５６をそれぞれ一体に形成してなり、雌型片５７は、皿状に形成した係止鍔部５８の上面中央垂直方向に、前記雄型片５１の係止ピン５３が嵌合する係止筒部５９を一体に設けてなることを特徴とする。さらにはまた、前記連結鋲５０は、雄型片５１の係止ピン５３の長さＸと、雌型片５７の係止筒５９の長さＹを同じ長さに形成し、雌型片５７の係止筒部５９を前記表面板１４に設けた取付孔１５の裏面側から表面側に貫通させ、表面側に突出した係止筒部５９に前記吊下げ具３０の筒孔３２、３６を挿通すると共に、前記係止筒部５９に雄型片５１の係止ピン５３を圧入して吊下げ具３０を表面板１４に固着してなることを特徴とする。
【００１０】
したがって、本考案は、肩ベルト１０を構成する表面板１４の肩当部１１に雄型片５１と雌型片５７とからなる連結鋲５０で吊下げ具３０を連結してから肩ベルトを形成することにより、連結鋲５０の一端即ち、雌型片５７の係止鍔部５８が肩ベルト１０の裏面側に露出しないので裏面をフラットできれいに形成することができると共に、該肩ベルトに連結鋲５０を挿通する貫通孔を設けないため強度の劣化を防止し、表面板１４だけに取付孔１５を開口することにより肩当部全体としての弾発力が失われず湾曲させることができるため鋲留め部分の折れ曲がりを防止して背負いやすくすることができる。
【考案を実施するための最良の形態】
【００１１】
本考案の実施の形態を図面に基づいて説明すると、図１は本考案に係る肩ベルトを取り付けたランドセルの正面図、図２は肩ベルトの正面図、図３は肩ベルトの背面図、図４は図２のＡ−Ａ線拡大端面図、図５は吊下げ具の平面図、図６は吊下げ具の底面図、図７は雄型片の拡大側面図、図８は図７の平面図、図９は連結鋲で吊下げ具を表面板に取付ける前状態を示す分解断面図、図１０は連結鋲で吊下げ具を表面板に連結した状態を示す拡大断面図である。
【００１２】
ランドセル１に取付ける一対の肩ベルト１０は、図１、２、３に示すごとく、左右対称で２本を一組とし、該肩ベルトの上半分の幅を広げた肩当部１１と、該肩当部の下方を細幅に形成した長さ調整部１２を一体の帯状に形成し、図１に示すごとく、右側に位置するベルトの上部は右側にカーブし、また、左側に位置するベルトの上部は左側にカーブして、学童の首部分を避けるように形成してある。前記肩ベルト１０は、ランドセル１の背板２の上部中央に固着した背環３にそれぞれ上端を連結する連結金具（図示せず）を取付けて連結し、背負いベルト１０の下方をランドセルの底面に一端を連結した短尺ベルト６の端部に連結してある。
【００１３】
前記長さ調整部１２と短尺ベルト６とによる長さ調節は、図１に示すごとく、短尺ベルト６の端部に設けた係止金具７の爪片８が、前記肩ベルト１０の長さ調整部１２に設けたいずれかの孔１３と係止して肩ベルト１０の長さを調整できるようにしてある。
【００１４】
また、前記肩ベルト１０は、図２、３、４に示すごとく、肩当部１１と長さ調節部１２を皮革又は合成皮革などの可撓性を有した硬質皮革材により一体で帯状に形成した表面板１４と、該表面板の裏面で、柔軟性を有した硬質発泡樹脂材等により前記表面板と相似形に形成したベルト芯板１６と、該ベルト芯板の下面で、前記肩当部１１に該当する部分にスポンジなどのクッション機能を有し且つ下面をなだらかな円弧状に形成した柔軟発泡樹脂材からなるパッド部１９を接着し、該パッド部および前記ベルト芯板１６を柔軟な皮革材からなるカバー部２０で被覆し、該カバー部の両端部を前記ベルト芯板１６と表面板１４との間に差し込み、さらに、前記ベルト芯板１６の長さ調節部１２の裏面に可撓性を有する硬質皮革材からなる裏面板２１を取付け、前記表面板１４、カバー部２０および裏面板２１のそれぞれ周縁部分を縫糸２２で縫着して一体に形成してある。
【００１５】
前記肩ベルト１０の上方に設けた幅広の肩当部１１に位置するベルト芯板１６の両側部には、図４に示すごとく、クッション機能を有するように断面略円柱状に膨出させた柔軟部１７を一体に形成し、さらに肩当部１１に該当するベルト芯板１６の下面中央を肉厚に形成した補強部１８を長手方向へ一体に形成し、その下面に前記柔軟発泡樹脂材からなるパット部１９を接着して肩当部１１全体を肉厚にして肩にかかるランドセルの重量を分散して背負いやすくしてある。
【００１６】
前記吊下げ具３０は、図５、６に示すごとく、薄厚の金属板または合成樹脂板を二つ折りにして下地部３１と上地部３５を形成し、該下地部と上地部３５の中央軸心方向にそれぞれ筒孔３２、３６を形成し、前記上地部３５の上面に前記連結鋲５０の雄型片５１の頭部５２が着座する係止凹部３７を設け、下地部との連結部分上方を湾曲させて遊嵌部３８を一体に形成し、該遊嵌部に小物を吊下げるための輪環３９を遊嵌してある。前記小物とは、例えば、携帯電話、防犯ブザー、キーホルダーまたはマスコット人形などをいう。
【００１７】
また、前記下地部３１の下面で筒孔３２の周縁十字方向に係止突部３３を一体に形成し、前記吊下げ具３０を連結鋲５０で表面板１４に固着したとき、該係止突部が表面板１４の表面に食い込んで係止されるので、吊下げ具３０の回転を防止することができる。
【００１８】
前記連結鋲５０は、図７、８、９に示すごとく、雌雄一対の雄型片５１と雌型片５７とからなり、前記雄型片５１は、お椀状に形成した頭部５２の先端に平坦な頂部５２ａを形成し、頭部５２の下面中央垂直方向に係止ピン５３を取付けて形成してある。この係止ピン５３は、図７に示すごとく、軸部５４の周面軸心方向に一定間隔で複数の鍔部５５を設け、該鍔部と軸部５４の先端方向との間にそれぞれテーパ状の斜面部５６を一体に形成してある。
【００１９】
前記頭部５２の上端に設けた頂部５２ａには、夜間における自動車または自転車などの光に反射する反射部（図示せず）を設け、自動車や自転車などの車両による事故防止を図っている。前記雌型片５７は、図９に示すごとく、下端を皿状に形成した係止鍔部５８の上面中央垂直方向に前記雄型片５１の係止ピン５３が圧入する係止筒部５９を一体に形成してある。
【００２０】
前記雄型片５１の係止ピン５３の長さＸと、雌型片５７の係止筒部５９の長さＹとを同一長さに形成し、係止ピン５３が係止筒部５９の最深部まで確実に圧入させて接触面積を広くして摩擦抵抗を多くすることにより、連結鋲５０に外部から衝撃が加わったとき雄型片５１と雌型片５７が脱落することを防止することができる。万一、衝撃で連結鋲５０が外れたりすると、表面板１４に吊下げ具３０を固着した連結鋲５０は、肩ベルト１０として成形した後は周囲を覆われて縫着されているため、修理が不可能となるからである。また、係止ピン５３と係止筒部５９の長さを同一にすることにより、所定の長さで係止ピン５３が止まるので、締めすぎなどによる係止鍔部５８や頭部５２の破損を防止することができる。
【００２１】
以下、本考案の実施形態の作用について説明すると、肩ベルト１０は、前記したごとく、肩当部１１と長さ調節部１２を一体に形成した長尺な表面板１４と、該表面板の裏面に該表面板と相似形に形成したベルト芯板１６を接着し、肩当部１１に相当する部分のベルト芯板１６の下面にクッション機能を有し且つ下面をなだらかな円弧状に形成したパッド部１９を接着し、該パッド部とベルト芯板１６とを柔軟なカバー部２０で覆うと共に、カバー部２０の両端を表面板１４とベルト芯板１６との間に差し込んで形成し、長さ調節部１２に該当するベルト芯板１６の裏面には、可撓性を有する硬質皮革材からなる裏面板２１を取付け、前記表面板１４とカバー部２０および裏面板２１の周縁全体を縫糸２２で縫着して一体に形成してある。
【００２２】
前記肩ベルト１０の製造工程に於いて、最初に表面板１４の取付孔１５に吊下げ具３０を連結鋲５０で固着する。この連結鋲５０による吊下げ具３０の固着は、雌型片５７の係止筒部５９を表面板１４の取付孔１５に裏面側から表面側に貫通して係止鍔部５８を表面板１４の裏側に当接する。次いで、表面板１４の表側から吊下げ具３０の筒孔３２、３６を係止筒部５９に挿通した後、雄型片５１の係止ピン５３を係止筒部５９に圧入することにより連結する。
【００２３】
前記雄型片５１の係止ピン５３は、軸部５４の周面に設けた複数の鍔部５４にはそれぞれ先端方向にテーパ状の斜面部５５を設けてあるため、係止筒部５９に係止ピン５３を押し込むと、係止ピン５３の鍔部５４は傾斜部５５に沿って係止筒部５９の内壁面を摺動しながら進入するが、雄型片５１を引き抜こうとすると、引き抜き方向に対しては、係止ピン５３の鍔部５５が係止筒部５９の内壁面に食い込み引き抜くことができない。したがって、一度圧入した雄型片５１は二度と引き抜くことは困難であるため、吊下げ具３０が使用中に肩ベルト１０から脱落するおそれがなく安心して使用することができる。
【００２４】
また、雄型片５１の係止ピン５３の長さＸと、雌型片５７の係止筒部５９の長さＹとを同一に形成したことにより、係止ピン５３の先端が係止筒部５９の最深部まで進入すると、係止筒部５９の上端面に雄型片５１の頭部５２の下面が当接して停止する。そのため、係止ピン５３と係止筒部５９との接触面積が大きく摩擦抵抗を強くして雄型片５１の脱落を防止し、一方、圧入時における締めすぎによる破損や締め不足による吊下げ具３０のガタつきを防止することができる。
【００２５】
次いで、吊下げ具３０を連結鋲５０で表面板１４に取付けた後、通常の肩ベルト１０の製造工程に沿って、前記表面板１４の裏面にベルト芯板１６を接着し、肩当部１１には前記ベルト芯板１６の裏面にパット部１９を接着し、さらに、該パッド部とベルト芯板１６とをカバー部２０で覆い、該カバー部の両側端部を表面板１４とベルト芯板１６との間に差し込み、さらに、長さ調節部１２のベルト芯板１６の裏面に裏面板２１を接着して取付け、前記表面板１４の周縁全体とカバー部材２０および裏面板２１の周縁部分に沿って縫糸２２で縫着して一体に形成してある。
【００２６】
吊下げ具３０を表面板１４だけに連結鋲５０で取付けたことにより、表面板１４の裏側に突出した雌型片５７の係止鍔部５８は、該表面板の裏側に貼りつけたクッション性を有するベルト芯板１６とパット部１９により突起部分が吸収されるので、肩当部１１の裏面側はフラットで違和感なくきれいに形成することができる。
【００２７】
また、肩ベルト１０の表面板１４だけに取付孔１５を開口し、他のベルト芯板１６、パット部１９およびカバー部２０には孔を設けていないため肩当部１１全体としての弾発力が失われずに湾曲させることができ、経年変化による連結部分の折れ曲がりを防止することができる。さらには、吊下げ具３０を表面板１４に取付けた際、下地部３１の下面に設けた係止突部３３が表面板１４の表面に食い込んで係止されるので、吊下げ具３０の回転を防止することができる。
【図面の簡単な説明】
【００２８】
【図１】本考案に係る肩ベルトを取り付けたランドセルの正面図である。
【図２】本考案に係る肩ベルトの正面図である。
【図３】肩ベルトの背面図である。
【図４】図２のＡ−Ａ線拡大端面図である。
【図５】吊下げ具の平面図である。
【図６】吊下げ具の底面図である。
【図７】雄型片の側面図である。
【図８】雄型片の平面図である。
【図９】連結鋲で吊下げ具を表面板に取付ける前状態を示す分解断面図である。
【図１０】連結鋲で吊下げ具を表面板に連結した状態を示す拡大断面図である。
【図１１】従来のはとめを使用して吊下げ具を肩ベルトに連結した状態を示す要部拡大断面図である。
【符号の説明】
【００２９】
１０      肩ベルト
１１      肩当部
１２      長さ調節部
１４      表面板
１５      取付孔
１６      ベルト芯板
１７      柔軟部
１８      補強部
１９      パッド部
２０      カバー部
２１      裏面板
２２      縫糸
３０      吊下げ具
３１      下地部
３２      筒孔
３３      係止突部
３５      上地部
３６      筒孔
３７      係合凹部
３８      遊嵌部
３９      輪環
５０      連結鋲
５１      雄型片
５２      頭部
５３      係止ピン
５４      軸部
５５      鍔部
５６      斜面部
５７      雌型片
５８      係止鍔部
５９      係止筒部
【図１】
0003141382.tif 000003
【図２】
0003141382.tif 000004
【図３】
0003141382.tif 000005
【図４】
0003141382.tif 000006
【図５】
0003141382.tif 000007
【図６】
0003141382.tif 000008
【図７】
0003141382.tif 000009
【図８】
0003141382.tif 000010
【図９】
0003141382.tif 000011
【図１０】
0003141382.tif 000012
【図１１】
0003141382.tif 000013